(57)【要約】【課題】  靴擦れ等の足への負担を軽減すると共に、タコ・魚の目等の足の症状を予防するストッキングを提供する【解決手段】  足底部１の裏面側であって、脛側中足点３１と腓側中足点３２とを結ぶ仮想線Ｐに沿った全部又は一部を含む部位を、当該部位以外の生地よりも動摩擦係数が大きく、且つ最大圧までの圧縮ひずみ、最大圧までの圧縮エネルギー、圧縮回復性のうちの少なくとも一を満足する圧縮特性が大きな特殊編地で丸編みにより編成されていることから、靴内面から受ける被着用者の足表面に対する摩擦又は滑りをストッキング表面で円滑に逃がす作用と共に、ストッキング表面の特殊編地で前記直接の応力を緩和した状態で足表面に確実に伝達する作用とが相俟って歩行の安定性を保持しつつ、靴擦れ等の足への負担を軽減すると共に、タコ・魚の目等の足の症状を予防できる【選択図】図１
2010189783.tif 000002
【特許請求の範囲】
【請求項１】
足底部の裏面側であって、脛側中足点と腓側中足点とを結ぶ仮想線に沿った全部又は一部を含む部位を、当該部位以外の生地よりも動摩擦係数が大きく、且つ最大圧までの圧縮ひずみ、最大圧までの圧縮エネルギー、圧縮回復性のうちの少なくとも一を満足する圧縮特性が大きな特殊編地で丸編みにより編成されることを
特徴とするストッキング。
【請求項２】
前記請求項１に記載のストッキングにおいて、
足甲側の裏面側であって、第一指ないし第五指の指節間関節部を、当該部位以外の生地よりも動摩擦係数が大きく、且つ最大圧までの圧縮ひずみ、最大圧までの圧縮エネルギー、圧縮回復性のうちの少なくとも一を満足する圧縮特性が大きな特殊編地で丸編みにより編成されることを
特徴とするストッキング。
【請求項３】
前記請求項１又は２に記載のストッキングにおいて、
足底部の裏面側であって、踵に相当する部位を、当該部位以外の生地よりも動摩擦係数が大きく、且つ最大圧までの圧縮ひずみ、最大圧までの圧縮エネルギー、圧縮回復性のうちの少なくとも一を満足する圧縮特性が大きな特殊編地で丸編みにより編成されることを
特徴とするストッキング。
【請求項４】
前記請求項１ないし３のいずれかに記載のストッキングにおいて、
足底部の裏面側であって、脛側中足点及び腓側中足点の相当部位を、当該部位以外の生地よりも動摩擦係数が大きく、且つ最大圧までの圧縮ひずみ、最大圧までの圧縮エネルギー、圧縮回復性のうちの少なくとも一を満足する圧縮特性が大きな特殊編地で丸編みにより編成されることを
特徴とするストッキング。
【請求項５】
前記請求項１ないし４のいずれかに記載のストッキングにおいて、
前記各特殊編地のいずれか少なくとも二つを連結した編地で編成されることを
特徴とするストッキング。
【請求項６】
前記請求項１ないし５のいずれかに記載のストッキングにおいて、
前記各特殊編地が、タック編又はフロート編によりパイル編様に編成されることを
特徴とするストッキング。
【請求項７】
前記請求項１ないし６のいずれかに記載のストッキングにおいて、
前記特殊編地が、被着用者のウォーキング動作時における足裏重心移動の経路と交叉する方向に縞状の編地で編成されることを
特徴とするストッキング。
【請求項８】
前記請求項１ないし７のいずれかに記載のストッキングにおいて、
前記特殊編地が、動摩擦係数、最大圧までの圧縮ひずみ、最大圧までの圧縮エネルギー、圧縮回復性のうちの少なくとも一を満足する圧縮特性に加え、応力緩和特性を大きく丸編みにより編成されることを
特徴とするストッキング。
【発明の詳細な説明】
【技術分野】
【０００１】
本発明は、靴下の糸よりも細い糸で丸編みにより編成されるストッキングに関し、特にファッション性の高い女性靴の着用時においても、靴擦れ等の足への負担を軽減すると共に、タコ・魚の目等の足の症状を予防するストッキングに関する。
【背景技術】
【０００２】
従来の技術としては、足の靴擦れ等を起こしやすい部位に貼着することにより痛み等を防止するパッド若しくはテープ（特許文献１ないし３）が存在する。
【０００３】
また、他の従来の技術は、踵部以外の部位が表糸に綿糸３本、踵部が表糸に綿糸４本を用い、裏糸に弾性糸を芯糸とし合成繊維からなるカバリング糸を用いて部位ごとにパイル編又はメッシュ編で編成しパイル編で編成し、爪先部のゴアラインを小さく編成して構成される（特許文献４）。このように、他の従来技術は、靴下の各部位ごとに異なる糸及び異なる糸本数を用いて編成することにより、踵部に着地時にかかる負担を軽減して、指付け根部分の通気性を促進できるという機能を有する。
【先行技術文献】
【特許文献】
【０００４】
【特許文献１】特開２００２−８５４４６号公報
【特許文献２】特開２００２−３６９８３６号公報
【特許文献３】特開平１０−２４８８７１号公報
【特許文献４】実用新案登録第３１１３２５３号公報
【発明の概要】
【発明が解決しようとする課題】
【０００５】
特許文献１ないし３に記載の従来技術は、着用時の毎に靴擦れを起こす可能性がある部位にパッド若しくはテープを貼着しなければならず、極めて繁雑な作業を強いられるという課題を有する。また、被着者の貼着部位によっては、貼着・剥取の繰り返しにより炎症を生じさせるという課題を有する。
【０００６】
また、特許文献４に記載の従来技術は、靴下の各部位毎に異なる糸及び糸本数で編成することから、編地の厚みが厚くなり、ファッション性の高い女性靴では履くことができないという課題を有する。特に、このような女性靴で従来技術に係る靴下を履いた場合には、ファッション性を損なうと共に、靴からの圧迫が強くなり、足への負担を大きくしてタコや魚の目等の症状を発生若しくは助長するという課題を有する。
【０００７】
本発明は、前記課題を解消するためになされたもので、皮膚組織が少ない骨性突起部に多発する靴擦れ等の足への負担を軽減すると共に、タコ・魚の目等の足の症状を予防するストッキングを提供することを目的とする。
【課題を解決するための手段】
【０００８】
本発明に係るストッキングは、足底部の裏面側であって、脛側中足点と腓側中足点とを結ぶ仮想線に沿った全部又は一部を含む部位を、当該部位以外の生地よりも動摩擦係数が大きく、且つ最大圧までの圧縮ひずみ、最大圧までの圧縮エネルギー、圧縮回復性のうちの少なくとも一を満足する圧縮特性が大きな特殊編地で丸編みにより編成されるものである。
【０００９】
本発明に係るストッキングは必要に応じて、足甲側の裏面側であって、第一指ないし第五指の指節間関節部を、当該部位以外の生地よりも動摩擦係数が大きく、且つ最大圧までの圧縮ひずみ、最大圧までの圧縮エネルギー、圧縮回復性のうちの少なくとも一を満足する圧縮特性が大きな特殊編地で丸編みにより編成されるものである。
【００１０】
本発明に係るストッキングは必要に応じて、足底部の裏面側であって、踵に相当する部位を、当該部位以外の生地よりも動摩擦係数が大きく、且つ最大圧までの圧縮ひずみ、最大圧までの圧縮エネルギー、圧縮回復性のうちの少なくとも一を満足する圧縮特性が大きな特殊編地で丸編みにより編成されるものである。
【００１１】
本発明に係るストッキングは必要に応じて、足底部の裏面側であって、脛側中足点及び腓側中足点の相当部位を、当該部位以外の生地よりも動摩擦係数が大きく、且つ最大圧までの圧縮ひずみ、最大圧までの圧縮エネルギー、圧縮回復性のうちの少なくとも一を満足する圧縮特性が大きな特殊編地で丸編みにより編成されるものである。
【００１２】
本発明に係るストッキングは必要に応じて、各特殊編地のいずれか少なくとも二つを連結した編地で編成されるものである。
本発明に係るストッキングは必要に応じて、各特殊編地が、タック編又はフロート編によりパイル編様に編成されるものである。
【００１３】
本発明に係るストッキングは必要に応じて、特殊編地が、被着用者のウォーキング動作時における足裏重心移動の経路と交叉する方向に縞状の編地で編成されるものである。
本発明に係るストッキングは必要に応じて、特殊編地が、動摩擦係数、最大圧までの圧縮ひずみ、最大圧までの圧縮エネルギー、圧縮回復性のうちの少なくとも一を満足する圧縮特性に加え、応力緩和特性を他の生地より大きく丸編みにより編成されるものである。
【発明の効果】
【００１４】
この発明によれば、足底部の裏面側であって、脛側中足点と腓側中足点とを結ぶ仮想線に沿った全部又は一部を含む部位を、当該部位以外の生地よりも動摩擦係数が大きく、且つ最大圧までの圧縮ひずみ、最大圧までの圧縮エネルギー、圧縮回復性のうちの少なくとも一を満足する圧縮特性が大きな特殊編地で丸編みにより編成されていることから、靴内面から受ける被着用者の足表面に対する摩擦又は滑りをストッキング表面で円滑に逃がす作用と共に、ストッキング裏面の特殊編地で前記直接の応力を緩和した状態で足表面に確実に伝達する作用とが相俟って歩行の安定性を保持しつつ、靴擦れ等の足への負担を軽減すると共に、タコ・魚の目等の足の症状を予防できるという効果を奏する。また、本発明は、歩行の安定性と共に、ファッション性を向上させる効果を有する。
【図面の簡単な説明】
【００１５】
【図１】本発明の第１の実施形態に係るストッキングの足甲側及び足底側の各編地における裏面側のパイル編様編体態様図である。
【図２】図１に記載のストッキングにおけるパイル編様編地の組織図である
【図３】本発明の第２の実施形態に係るストッキングの足甲側及び足底側の各編地における裏面側のパイル編様編地態様図である。
【図４】図３に記載のストッキングにおけるＡ−Ａ線断面図である。
【図５】本発明の第３の実施形態に係るストッキングの足甲側の編地における裏面側のパイル編様編地態様図である。
【図６】図５に記載のストッキングにおけるＢ−Ｂ線断面図である。
【発明を実施するための形態】
【００１６】
（本発明の第１の実施形態）
以下、本発明の第１の実施形態に係るストッキングを図１及び図２に基づいて説明する。この図１は本実施形態に係るストッキングの足甲側及び足底側の各編地における裏面側のパイル編様編地態様図、図２は図１に記載のストッキングにおけるパイル編様編地の組織図である。
【００１７】
前記各図において本発明の第１の実施形態に係るストッキングは、足底部１の裏面側であって脛側中足点３１及び腓側中足点３２とを結ぶ仮想線Ｐに沿った中足点部４と、足甲側２の裏面側であって第一ないし第五指の指節間関節部５と、足底部１の裏面側であって、踵に相当する踵部６と、表地よりも動摩擦係数が大きく、且つ最大圧までの圧縮ひずみ、最大圧までの圧縮エネルギー、圧縮回復性のうちの少なくとも一を満足する圧縮特性が大きなパイル編様編地で丸編により編成される構成である。また、このストッキングは、中足点部４、指節間関節部５及び踵部６の各パイル編様編地以外の足底部１及び足甲側２の領域は、平編みにより編成される。
【００１８】
前記パイル編様編地は、１口目（１Ｆ）に芯糸が３０デニールでカバーリングヤーンが３０デニールのナイロンＦＴＹからなる糸（３０／３０）を給糸し、２口目（２Ｆ）に芯糸が３０デニールの６フィラメントからなる生糸（３０／−）を給糸し、３口目（３Ｆ）に１口目（１Ｆ）と同じ糸（３０／３０）を給糸すると共に、４口目（４Ｆ）に２口目（２Ｆ）と同じ生糸（３０／−）を給糸して編成される。
【００１９】
また、図２においてこのパイル編様編地は、１口目（１Ｆ）の糸が２口目（２Ｆ）の生糸と４コース毎にニッティング状態となるように編成される。この４コース毎の２口目（２Ｆ）の生糸と、この４コースの間の３コースにおける１口目（１Ｆ）の糸とが３口目（３Ｆ）の糸に総てがニッティング状態となるように編成される。
【００２０】
前記１口目（１Ｆ）の糸の３コースにニッティングされた３口目（３Ｆ）の糸のうち、中央のコースにおけるニット目に４口目（４Ｆ）の生糸にニッティング状態となるように編成される。この４口目（４Ｆ）の生糸は、前記２口目（２Ｆ）の生糸と同様に、４コース毎に３口目（３Ｆ）の糸とニッティング状態となるように編成される。
【００２１】
このように１口目（１Ｆ）から４口目（４Ｆ）の編成態様を順次繰り返すことにより、２口目（２Ｆ）及び４口目（４Ｆ）に相当するウェール部分における浮き糸２Ｒ、４Ｒがループ状に形成されて他の部分の生地よりも厚く柔らかい編地のパイル編様編地が編成できることとなる。
【００２２】
（本発明の第２の実施形態）
本発明の第２の実施形態に係るストッキングを図３及び図４に基づいて説明する。この図３は、本実施形態に係るストッキングの足側部、足甲側及び足底側の各編地における裏面側のパイル編様編地態様図、図４は図３に記載のストッキングにおけるＡ−Ａ線断面図である。
【００２３】
前記各図において、本実施形態に係るストッキングは、前記第１の実施形態に係るストッキングと同様に中足点部４、指節間関節部５及び踵部６をパイル編様編地で編成され、この編成構成に加え、足側部の裏面側であって、脛側中足点３１及び腓側中足点３２の相当する脛側部７１及び腓側部７２を、表地よりも動摩擦係数が大きく、且つ最大圧までの圧縮ひずみ、最大圧までの圧縮エネルギー、圧縮回復性のうちの少なくとも一を満足する圧縮特性が大きな特殊編地で丸編みにより編成され、前記中足点部４と脛側部７１及び中足点部４と腓側部７２の各パイル編様編地を連結した編地領域として編成する構成である。また、このストッキングは、中足点部４、指節間関節部５及び踵部６、脛側部７１及び腓側部７２の各パイル編様編地以外の足底部１及び足甲側２の領域は、平編みにより編成される。
【００２４】
前記中足点部４、脛側部７１及び腓側部７２のパイル編様編地の部分は、被着用者の脛側中足点３１及び腓側中足点３２を足底部１において凹溝状に挟み込んだ状態で保持できることとなり、安定したウォーキングを可能とすると共に、外反母趾及び内反小趾の発生及び助長を未然に防止できる。
【００２５】
（本発明の第３の実施形態）
本発明の第３の実施形態に係るストッキングを図５及び図６に基づいて説明する。この図５は、本実施形態に係るストッキングの足甲側の編地における裏面側のパイル編様編地態様図、図６は図５に記載のストッキングにおけるＢ−Ｂ線断面図である。
【００２６】
前記各図において、本実施形態に係るストッキングは、前記第１の実施形態に係るストッキングと同様に中足点部４、指節間関節部５及び踵部６をパイル編様編地で編成され、この編成構成に加え、足側部の裏面側であって、脛側中足点３１及び腓側中足点３２の相当部位を表地よりも動摩擦係数が大きく、且つ最大圧までの圧縮ひずみ、最大圧までの圧縮エネルギー、圧縮回復性のうちの少なくとも一を満足する圧縮特性が大きな特殊編地で丸編みにより編成され、前記各パイル編様編地を被着用者のウォーキング動作時における足裏重心移動の経路Ｑと交叉する方向に縞状の編地で編成する構成である。
【００２７】
このように、中足点部４及び踵部６のパイル編様編地における縞状編地が足裏重心移動の経路Ｑと交叉するように構成されていることから、ウォーキング時に経路Ｑに添って順次発生する応力を緩和してパイル編様編地の縞状編地からなる凹凸部分で確実に被着用者の足裏に伝えて、安定した歩行が可能となる。
【００２８】
なお、前記各実施の形態においてはパイル編様編地を生地よりも動摩擦係数を大きく且つ最大圧までの圧縮ひずみ、最大圧までの圧縮エネルギー、圧縮回復性のうちの少なくとも一を満足する圧縮特性が大きな特殊編地で丸編みにより編成する構成としたが、最大圧までの圧縮ひずみ、最大圧までの圧縮エネルギー、圧縮回復性のいずれか又は総てを大きく編成することもでき、さらにこの構成に加え、応力緩和特性を大きく編成することもできる。
【実施例１】
【００２９】
実施例１に用いるストッキングをつま先部をパイル編様に編成したストッキングについて、１、２、３の３種試作した。
１．ナイロンのダブルカバード糸とナイロンの交編布
３：１のパイル編様に編成（ハードパイルＰＨ）
２．ナイロンのダブルカバード糸とナイロンの交編布
１コース毎に３：１のパイル編様に編成（１段おきハードパイルＰｈ）
３．オールウーリーナイロン糸ゾッキ編
３：１のパイル編様に編成（ソフトパイルＰｓ）
ノーマルタイプストッキングをコントロールとし、比較検討した。
【００３０】
実験項目は、人の皮膚（上腕内側）とストッキングとの摩擦係数、ストッキングと靴素材（牛革）との摩擦係数、ストッキングの圧縮特性と応力緩和特性、歩行時に足指部にかかる圧力についての、主観評価である。主観評価については、（ａ）立位の履き心地、（ｂ）歩き心地、（ｃ）歩行時の柔らかさ感、（ｄ）歩行時の圧迫感の４つの感性値を一対比較法（浦の変法）で評価した。すなわち、左右に別種類のストッキングを着用し、どちらか一方と他方を比べて５段階評価を行った。各被験者は、それぞれ１２通りの組み合わせで評価を行った。
【００３１】
本実施例１において、皮膚とストッキング、ストッキングと靴素材（牛革）との静摩擦係数および動摩擦係数を測定した。
この測定結果よりどの圧力下においても、ソフトタイプＰｓが最も皮膚とストッキング（パイル編様面：裏面）が滑りにくく、かつストッキング（表面）と靴素材が滑りやすいため、歩行時の滑りが靴とストッキングとの間において生ずるため、靴擦れが発生しにくいと考えられた。
【００３２】
【表１】
2010189783.tif 000003
【００３３】
【表２】
2010189783.tif 000004
【００３４】
【表３】
2010189783.tif 000005
ソフトタイプＰｓの圧縮ひずみ量（ε）は強圧下でノーマルタイプの約９倍であり柔らかく、圧縮エネルギー（ＷＣ）は、強圧下でノーマルタイプの約２倍であり柔らかく、且つ最大圧までの応力緩和特性が大きいことがわかった。
【００３５】
【表４】
2010189783.tif 000006
また、圧縮回復性はハードタイプＰＨで高かったが、ソフトタイプＰｓでもノーマルタイプより若干回復性がよいことがわかった。次に、６ｋＰａからの圧縮ひずみ、最大圧までの圧縮エネルギー、圧縮回復性のうちの少なくとも一を満足する圧縮特性の結果から、ＰｓおよびＰｈはノーマルタイプＮに比べて粘弾性成分が大きく、緩衝効果が認められた。
【００３６】
【表５】
2010189783.tif 000007
また、歩行時の足の第一指（親指）と第五指（小指）部分で接触圧を測定した。その結果、ソフトタイプＰｓで平均接触圧が低くなることがわかった。
【００３７】
【表６】
2010189783.tif 000008
【００３８】
主観評価では、「立位の履き心地」および「歩き心地」はノーマルタイプに比べてすべての試作品で評価が高かった。「歩行時のやわらかさ」はソフトタイプＰｓで最も評価が高かった。ＰＨおよびＰｈのハードタイプは「圧迫感」が大きかったが、ソフトタイプはＮと同程度に圧迫を感じないと評価された（分散分析の結果、試料間の差ｐ＜０．０１）。
【表７】
2010189783.tif 000009
【符号の説明】
【００３９】
１      足底部
２      足甲側
３１    脛側中足点
３２    腓側中足点
４      中足点部
５      指節間関節部
６      踵部
７１    脛側部
７２    腓側部
Ｐ      仮想線
Ｑ      足裏重心移動の経路
【図１】
2010189783.tif 000010
【図２】
2010189783.tif 000011
【図３】
2010189783.tif 000012
【図４】
2010189783.tif 000013
【図５】
2010189783.tif 000014
【図６】
2010189783.tif 000015